(57)【特許請求の範囲】
【請求項１】
液透過性のトップシートと、液不透過性のバックシートと、両シート間に介在された液体保持性の吸収体とを具備し、腹側部の左右両側縁部と背側部の左右両側縁部とを接合して左右一対の接合部が形成されており、ウエスト部、胴回り部及びレッグ部に、それぞれ、ウエスト部弾性部材、胴回り部弾性部材及びレッグ部弾性部材が配されており、これらの両端縁部が上記接合部に位置している、パンツ型の使い捨ておむつにおいて、
一対の上記接合部は、それぞれ、上記接合部の長手方向に対して斜め方向に設けられた複数のシール部により腹側部の左右両側縁部と背側部の左右両側縁部とを接合して形成されており、該接合部に位置する上記ウエスト部弾性部材、上記胴回り部弾性部材及びレッグ部弾性部材が該シール部により全て切断されており、
上記接合部の長手方向に対する複数の上記シール部の角度θは、３０〜６０°であり、
複数の上記シール部の長さＬは、８〜１６mmである、ことを特徴とするパンツ型の使い捨ておむつ。
【発明の詳細な説明】
【０００１】
【発明の属する技術分野】
本発明は、風合いに優れ、装着感に優れたパンツ型の使い捨ておむつに関する。
【０００２】
【従来の技術及び発明が解決しようとする課題】
従来より、液透過性のトップシートと、液不透過性のバックシートと、両シート間に介在された液体保持性の吸収体とを具備し、腹側部の左右両側縁部と背側部の左右両側縁部とを接合して左右一対の接合部が形成されてなり、ウエスト部、胴回り部及びレッグ部に、それぞれ、ウエスト部弾性部材、胴回り部弾性部材及びレッグ部弾性部材が、これらの端縁部を上記接合部に位置させるように配されている、パンツ型の使い捨ておむつは、広く用いられている。
そして、上記接合部は、通常、腹側部の左右両側縁部と背側部の左右両側縁部とをヒートシールするなどして接合されている。
しかし、このような従来のパンツ型の使い捨ておむつにおいては、上記接合部が硬くなり、風合い及び装着感が悪いという問題、具体的には、使用時において、着用者が該接合部が当たった際に痛く感じる等の問題があった。
【０００３】
従って、本発明の目的は、風合いに優れ、使用時の装着感が良好なパンツ型の使い捨ておむつを提供することにある。
【０００４】
【課題を解決するための手段】
本発明者らは、上記課題を解決するために鋭意検討した結果、接合部に位置する弾性部材の張力が弱くなるように、接合部に位置する該弾性部材を切断してなるパンツ型の使い捨ておむつが、上記目的を達成しうることを知見した。
【０００５】
本発明は、上記知見に基づいてなされたもので、液透過性のトップシートと、液不透過性のバックシートと、両シート間に介在された液体保持性の吸収体とを具備し、腹側部の左右両側縁部と背側部の左右両側縁部とを接合して左右一対の接合部が形成されており、ウエスト部、胴回り部及びレッグ部に、それぞれ、ウエスト部弾性部材、胴回り部弾性部材及びレッグ部弾性部材が配されており、これらの両端縁部が上記接合部に位置している、パンツ型の使い捨ておむつにおいて、一対の上記接合部は、それぞれ、上記接合部の長手方向に対して斜め方向に設けられた複数のシール部により腹側部の左右両側縁部と背側部の左右両側縁部とを接合して形成されており、該接合部に位置する上記ウエスト部弾性部材、上記胴回り部弾性部材及びレッグ部弾性部材が該シール部により全て切断されており、上記接合部の長手方向に対する複数の上記シール部の角度θは、３０〜６０°であり、複数の上記シール部の長さＬは、８〜１６mmである、ことを特徴とするパンツ型の使い捨ておむつを提供するものである。
【０００６】
【発明の実施の態様】
以下、図面を参照して本発明を更に詳細に説明する。
ここで、図１は、本発明のパンツ型の使い捨ておむつの１形態を示す斜視図であり、図２は、図１に示すパンツ型の使い捨ておむつの接合部を模式的に示す拡大図であり、図３は、図２のIII 部拡大図である。
また、図４は、図１に示すパンツ型の使い捨ておむつの製造方法の要部を示す概略図である。
【０００７】
図１に示すパンツ型の使い捨ておむつ１は、液透過性のトップシート２と、液不透過性のバックシート３と、両シート２、３間に介在された液体保持性の吸収体４（図４参照）とを具備し、腹側部Ａの左右両側縁部と背側部Ｂの左右両側縁部とを接合して左右一対の接合部８が形成されてなり、ウエスト部５、胴回り部６、及びレッグ部７に、それぞれ、ウエスト部弾性部材５１、胴回り部弾性部材６１、及びレッグ部弾性部材７１が配されており、これらの両端縁部５１ａ、６１ａ、７１ａが上記接合部８に位置している。
【０００８】
また、上記使い捨ておむつ１には、上記接合部が形成されていることにより、ウエスト開口部９ａと、左右一対のレッグ開口部９ｂとが形成されている。
【０００９】
上記ウエスト部弾性部材５１は、ウエスト部５においてウエスト開口部９ａに沿うように４本設けられており、上記胴回り部弾性部材６１は、着用時に着用者の胴回りに位置する胴回り部６に７本設けられている。また、上記レッグ部弾性部材７１は、腹側部Ａ側と背側部Ｂ側とにそれぞれ３本づつ配されている。
また、上記ウエスト部弾性部材５１、上記レッグ部弾性部材７１及び上記胴回り弾性部材６１は、それぞれ、上記トップシート２及び上記バックシート３間に接着剤を介して、伸張状態で挟持・固定されている。
このような構成は、従来公知のパンツ型の使い捨ておむつと同様である。
【００１０】
また、本形態において用いられる各部材、即ち、上記トップシート２、上記バックシート３、上記吸収体４、上記ウエスト部弾性部材５１、上記レッグ部弾性部材７１及び上記胴回り弾性部材６１については、いずれも、従来これらの形成材料として用いられるものを特に制限なく用いて形成することができる。
【００１１】
而して、本形態の使い捨ておむつ１は、図１及び２に示すように、一対の上記接合部８が、それぞれ、上記接合部８の長手方向に対して斜め方向（右上がり）に設けられた複数のシール部８１により腹側部Ａの左右両側縁部と背側部Ｂの左右両側縁部とを接合して形成されており、該接合部８に位置する上記ウエスト部弾性部材５１、上記胴回り部弾性部材６１、及びレッグ部弾性部材７１が該シール部８１により全て切断されている。
【００１２】
更に詳述すると、図２に示すように、複数の上記シール部８１は、それぞれ、平行に且つ所定パターンをもって、不連続に設けられている。ここで、上記所定パターンは、各弾性部材が全て切断されるようなパターンであれば特に制限されないが、図３に示すように、１のシール部８１Ａの下端８１ａと該１のシール部８１Ａに隣接する隣接シール部８１Ｂの上端８１ｂとが、それらの高さ位置において重なり合うようなパターンとするのが、特に位置合せ等することなく全ての弾性部材を切断できる点で好ましい。
上記シール部８１が上記接合部の長手方向に対して、平行方向若しくは垂直方向に設けられていると、全ての弾性部材を切断しても、却って風合いの低下を招くので、斜め方向とする必要がある。
【００１３】
また、図３に示すように、上記シール部８１の接合部８の長手方向に対する角度θは、３０〜６０°である。また、上記シール部８１の長さＬは、８〜１６mmである。
【００１４】
本形態のパンツ型の使い捨ておむつ１は、通常公知のパンツ型の使い捨ておむつと同様にして使用することができる。そして、本形態の使い捨ておむつ１は、上述の如く構成されているので、従来の使い捨ておむつであれば接合部における弾性部材の収縮により、該接合部がゴワついてしまい、著しい風合いの低下を招くが、本形態の使い捨ておむつ１では、接合部８において各弾性部材が切断されて該弾性部材の収縮が少なく、該収縮による弊害が低減されているため、このような風合いの低下を招くことがない。従って、本形態の使い捨ておむつ１は、風合いに優れ、装着感に優れたものである。
【００１５】
本形態の使い捨ておむつは、好ましくは、下記の如くして製造することができる。
即ち、図４に示すようにウエスト部弾性部材５１、胴回り部弾性部材６１、レッグ部弾性部材７１及び吸収体４が、それぞれ、トップシート２とバックシート３との間に挟持されるように、トップシートの連続体２’及びバックシートの連続体３’間にウエスト部弾性部材の連続体５１’、胴回り部弾性部材の連続体６１’、レッグ部弾性部材の連続体７１’及び吸収体４を配する部材配置工程Ｏと、レッグ開口部形成用の開口を形成する開口形成工程Ｐと、各部材が重ね合わされ且つ開口が形成された連続体をその幅方向に２つ折りにして、所定箇所を所定のパターンで複数の上記シール部が形成されるようにヒートシールして接合部を形成する接合部形成工程Ｑと、該接合部で個々のおむつに切断する切断工程Ｒとを、行うことにより、製造することができる。
【００１６】
また、本形態においては、上記部材配置工程Ｏと上記開口形成工程Ｐとの間にバックシートの連続体３’の左右両側縁部３ａ’を折り返してトップシートの連続体２’上に重ね合わせる折り返し工程Ｓを行うことができる。
また、上記部材配置工程Ｏ、開口形成工程Ｐ、切断工程Ｒ及び折り返し工程Ｓは、それぞれ、常法に準じて行うことができる。
【００１７】
そして、先ず、本形態の製造方法においては、上記部材配置工程Ｏにて、接着剤を塗布した各弾性部材の連続体５１’、６１’、７１’をそれぞれ伸張状態でトップシートとバックシートとの間における所定位置に配する。
次いで、上記折り返し工程Ｓ及び上記開口形成工程Ｐを行った後、上記接合部形成工程Ｑを行い、ヒートシールにより、伸張状態の各弾性部材の連続体５１’、６１’、７１’を、上記接合部の形成と同時に該接合部に位置する部分において切断する。
また、上記接合部形成工程Ｑにおけるヒートシールの手法としては、上記シール部８１が形成されるようなパターンでシール用の凸部が形成されたロール（図示せず）を用い、常法に準じて行うことができる。尚、上記所定箇所とは、おむつの左右両側縁部に当たる箇所、即ち、２つ折りにした連続体における最も幅狭の部分である。また、所定のパターンとは、例えば、図２に示す各シール部の配置パターンである。
更に、この後、上記切断工程Ｒを行うことにより、図１に示す形態の使い捨て使い捨ておむつが得られる。
【００１８】
次いで、本発明のパンツ型の使い捨ておむつの他の形態について図５及び６を参照して説明する。
ここで、図５及び６は、本発明のパンツ型の使い捨ておむつの他の形態を示す接合部の拡大図である。
尚、以下の説明においては、特に上述した図１〜３に示す形態の使い捨ておむつと異なる点について説明する。特に詳述しない点については、上述した説明が適宜適用される。
【００１９】
図５に示す形態のパンツ型の使い捨ておむつ１は、各シール部８１が、それぞれ、右下がりに設けられている。この点以外は、上述した図１〜３に示す形態の使い捨ておむつと同様である。
また、図６に示す形態のパンツ型の使い捨ておむつ１は、右下がりに設けられたシール部８１’と右上がりに設けられたシール部８１”とが、それぞれ、交互に連続して設けられている。この点以外は、上述した図１〜３に示す形態の使い捨ておむつと同様である。
【００２０】
尚、本発明の使い捨ておむつは、上述の形態に制限されるものではなく、本発明の趣旨を逸脱しない範囲で種々変更可能である。
例えば、上記ウエスト部弾性部材５１、上記胴回り部弾性部材６１及び上記レッグ部弾性部材７１は、それぞれ、トップシート２とバックシート３とにより挟持されていなくても良く、例えば、少なくとも２層の積層体よりなるバックシートの層間に挟持固定されていても良い。また、トップシートが接合部までなくても良い。
【００２１】
【発明の効果】
本発明のパンツ型の使い捨ておむつは、風合いに優れ、使用時の装着感が良好なものである。
【図面の簡単な説明】
【図１】図１は、本発明のパンツ型の使い捨ておむつの１形態を示す斜視図である。
【図２】図２は、図１に示すパンツ型の使い捨ておむつの接合部を模式的に示す拡大図である。
【図３】図３は、図２のIII 部拡大図である。
【図４】図４は、図１に示すパンツ型の使い捨ておむつの製造方法の要部を示す概略図である。
【図５】図５は、本発明のパンツ型の使い捨ておむつの他の形態を示す斜視図である。
【図６】図６は、本発明のパンツ型の使い捨ておむつの他の形態を示す斜視図である。
【符号の説明】
１  使い捨ておむつ
２  トップシート
３  バックシート
４  吸収体
５  ウエスト部
６  胴回り部
７  レッグ部
８  接合部
５１  ウエスト部弾性部材
６１  胴回り部弾性部材
７１  レッグ部弾性部材
８１  シート部
Ａ  腹側部
Ｂ  背側部
【図１】
0003781534.tif 000002
【図２】
0003781534.tif 000003
【図３】
0003781534.tif 000004
【図４】
0003781534.tif 000005
【図５】
0003781534.tif 000006
【図６】
0003781534.tif 000007